(57)【特許請求の範囲】
【請求項１】
可撓性シート部材からなる長形の袋本体を形成し、前記袋本体の頂部に一端が投入口となる充填物投入路を設け、前記袋本体の底部は排出口を設けるフレキシブルコンテナにおいて、前記袋本体の上面に上面開口部が設けられ、前記充填物投入路は前記上面開口部に挿入されて、前記充填物投入路の端部と前記上面とは前記上面開口部の縁部よりも外側の外周部において縫着され、
前記上面開口部は、その縁部が補強されていることを特徴とするフレキシブルコンテナ。
【請求項２】
前記充填物投入路は、折りたたみやすい素材から構成される充填物投入路上部と、前記充填物投入路上部よりも大きな強度を有する厚手の素材から構成される充填物投入路下部とからなることを特徴とする請求項１記載のフレキシブルコンテナ。
【請求項３】
前記上面開口部は、その縁部が投入口補強テープで補強されていることを特徴とする請求項１記載のフレキシブルコンテナ。
【請求項４】
可撓性シート部材からなる長形の袋本体を形成し、前記袋本体の頂部に一端が投入口となる充填物投入路を設け、前記袋本体の底部は排出口とするフレキシブルコンテナの製造方法において、前記袋本体の上面に上面開口部を設ける工程と、前記充填物投入路を前記上面開口部に挿入する工程と、前記充填物投入路の端部を前記上面開口部の縁部よりも外側の外周部において縫着する工程と、前記上面開口部の縁部を補強する工程とを含むフレキシブルコンテナの製造方法。
【発明の詳細な説明】
【技術分野】
【０００１】
本発明は、フレキシブルコンテナに関連し、特に粉粒状積荷のフレキシブルコンテナが倒れても容器が裂けることを予め防止することのできるフレキシブルコンテナに関する。
【背景技術】
【０００２】
従来より粉粒体等を運搬、貯蔵する手段として低コストでかつ自重も軽いことからフレキシブルコンテナーは多数使用されると共にその改善が提案されてきた。図８のように、例えば、特許文献１におけるフレキシブルコンテナ６０は、外袋６２と内袋８０とを備えている。外袋６２の上面には、原料などの外袋投入筒６４が設けられる。外袋投入筒６４は、外袋６２の直径より径を絞っている。外袋投入筒６４は、ＰＰなどでできたロープ６６または紐で結束することにより、封止できるようになっている。外袋投入筒６４の基部には、羽根蓋の一辺を結着するように複数の羽根蓋６８を配設し、各羽根蓋に１本の結束用ロープ７０を挿通する。
【０００３】
以上のように構成されるフレキシブルコンテナに粉粒体をほぼ満載した状態を図９（１）に示す。すなわち、粉体は内袋８０の中に満載されており、外袋６２の上面に外袋投入筒６４が設けられる。
【先行技術文献】
【特許文献】
【０００４】
【特許文献１】特開２００５−２２７３６号公報
【発明の概要】
【発明が解決しようとする課題】
【０００５】
ところでこのように粉粒体を積載したフレキシブルコンテナは、底面が完全には平坦ではない。このため、自立させた状態で配置させていた場合に、他のフレキシブルコンテナや重機と接触する場合や、２段、３段と段積みして船舶で輸送する場合に、落下や転倒することがある（図９（２））。落下や転倒する際に、袋中に満載されている粉粒体が袋の外部に流出しようとして、投入筒へ大量に流れ出す。この際、粉粒体が流れ出しながら、フレキシブルコンテナ本体が転倒するため、投入筒が粉粒体の入った状態で床面と接触し、外袋６２の上面と投入筒との接合部に応力が加えられ、やがて接合部が裂断してしまう。この接合部が裂断すると、粉粒体が外部へ流出するとともに、フレキシブルコンテナが破損し、内容物と容器の両者に甚大なる損害を与えることとなる。接合部の裂断は、接合部の縫着部分の糸が切断される場合と、袋の端部が裂ける場合と、投入筒の端部が裂断する場合とがある。
【０００６】
本発明の目的は、フレキシブルコンテナ本体が落下、転倒しても、袋の上面と投入筒との接合部が裂断することが無い強靭なフレキシブルコンテナを提供することである。
【課題を解決するための手段】
【０００７】
本発明に係るフレキシブルコンテナは、可撓性シート部材からなる袋本体を形成し、前記袋本体の頂部に筒状の充填物投入口筒状部を設け、前記袋本体の底部は排出口とするフレキシブルコンテナにおいて、前記袋本体の上面に上面開口部が設けられ、前記充填物投入口筒状部は前記上面開口部に挿入されて、前記充填物投入路の端部と前記上面とは前記上面開口部の縁部よりも外側の外周部において縫着され、前記上面開口部は、その縁部が補強されていることを特徴とする。
【０００８】
また、本発明に係るフレキシブルコンテナの製造方法は、可撓性シート部材からなる袋本体を形成し、前記袋本体の頂部に筒状の充填物投入口筒状部を設け、前記袋本体の底部は排出口とするフレキシブルコンテナの製造方法において、前記袋本体の上面に上面開口部を設ける工程と、前記充填物投入口筒状部は前記上面開口部に挿入する工程と、前記充填物投入口筒状部の端部と前記上面開口部の縁部よりも外側の外周部において縫着する工程と、前記上面開口部の縁部を補強する工程とを含む。
【発明の効果】
【０００９】
本発明を実施することで、フレキシブルコンテナ本体が転倒しても、外袋の上面と外袋投入筒との接合部が裂断することが無い。
【００１０】
すなわち、可撓性シート部材からなる袋本体を形成し、前記袋の頂部に筒状の充填物投入口筒状部を設け、前記袋の底部は排出口とするフレキシブルコンテナにおいて、前記袋本体の上面に上面開口部が設けられ、前記充填物投入口筒状部は前記上面開口部に挿入されて、前記充填物投入口筒状部の端部と前記上面開口部の縁部よりも外側の外周部において縫着されることにより、応力が前記上面開口部の縁部よりも外側の外周部に加わることにより、前記上面開口部の縁部に直接加わることを防ぐことができ、外袋の上面と外袋投入筒との接合部が裂断することを予防する。
【００１１】
さらに、前記上面開口部は、その縁部が補強されていることで、上面開口部の縁部よりも外側の外周部に加わった応力によって上面開口部の縁部までを裂断することを縁部の補強により阻止することが容易になる。
【図面の簡単な説明】
【００１２】
【図１】本発明に係るフレキシブルコンテナの第一の実施例の側面図である。
【図２】本発明に係るフレキシブルコンテナの第一の実施例の上面図である。
【図３】本発明に係るフレキシブルコンテナの第一の実施例の上面拡大図である。
【図４】本発明に係るフレキシブルコンテナの第一の実施例の上面拡大図である。
【図５】本発明に係るフレキシブルコンテナの第一の実施例の図２の上面ＡＡ断面図である。
【図６】本発明に係るフレキシブルコンテナの第二の実施例の上面図である。
【図７】本発明に係るフレキシブルコンテナの第三の実施例の上面図である。
【図８】従来のフレキシブルコンテナの構成図である。
【図９】従来のフレキシブルコンテナの構成図であって、（１）フレキシブルコンテナが正常に配置されている状態図と、（２）フレキシブルコンテナが何らかの要因で転倒している状態図を示す。
【発明を実施するための形態】
【００１３】
次に、本発明の実施の形態について図面を参照して詳細に説明する。なお、以下で説明する全ての図面において、同一の構成要素には同一の符号を付加し、適宜説明を省略する。
【実施例１】
【００１４】
図１は本発明の実施例１の側面図を示す。
【００１５】
フレキシブルコンテナの本体２は、シート材を用いて略柱形状の袋状に形成したフレキシブルコンテナ本体２の頂部に、粒状の収納物を充填する充填物投入口４を開設するとともに、フレキシブルコンテナ本体２の底部に、同フレキシブルコンテナ本体２に充填した収納物を排出するための充填物排出口６を設けてある。
【００１６】
この充填物投入口４は、収容物を注入する部分であり、注入物を通過させると共に注入後に折畳まれて充填物投入口４を遮蔽する充填物投入路上部５と、充填物投入路上部５が折畳まれた後に充填物投入路上部５に充填物投入路下部１４が連接される。この充填物投入路下部１４の基部で接続されて充填物投入口４全体より大きく板状に形成されて充填物投入口４を遮蔽する上蓋８から構成される。また、充填物投入路上部５を縛着するように同部材の側面に投入口縛り紐１８を設ける。
【００１７】
さらに、フレキシブルコンテナ本体２の側部上方には、フレキシブルコンテナ本体２を懸垂するための懸垂紐２０が２本から４本程度配置される。
【００１８】
本体２の側面上端部に吊ベルト２４を設けて吊金具２２とベルト煽り止め２６を連結し、ベルト煽り止め２６にポケット２８を配置する。
【００１９】
一方、充填物排出口６はフレキシブルコンテナ本体２の下側部である排出開口部材７の端部に開口して設けられる。排出開口部材７の側面には、閉塞布１０が複数枚周囲に設けられ、排出開口部材７を折りたたんだ後に遮蔽するように菊花状に配置される。閉塞布１０の先端部にロープ３４が摺動可能に設けられ、閉塞布１０を開口したり閉じたりできるように形成されている。また、排出開口部材７を縛着するように同部材の側面に排出口縛り紐３２を設ける。この閉塞布１０の外側に排出開口部材７が折畳まれた後に充填物排出口６全体より大きく円形状の板状に形成されて充填物排出口６を遮蔽する下蓋１２から構成される。
【００２０】
図２にフレキシブルコンテナ本体２の上面３６が描かれている上面図を示す。上面３６にはその中心に円形の上面開口９が開口されている。その開口縁部に投入口補強テープ４２が１周に渡って円形に縫着されている。その上に上面開口９を遮蔽するように上蓋８が設けられ、上蓋８と上面３６の上部に互いに相対するように配置された複数の面ファスナ１１、４４で固定される。
【００２１】
図３に上面開口９から充填物投入路を引き出した上面拡大図を示す。充填物投入路は、折りたたみやすい薄手の素材から構成される充填物投入路上部５と充填物投入路上部５よりも大きな強度を有する厚手の素材から構成される充填物投入路下部１４から構成される。充填物投入路上部５は、充填物投入路下部１４と連接しているが、充填物投入路下部１４と上面開口９とは連接しておらず、充填物投入路下部１４の端部は上面開口９の中に入り込んでおり、縫着部４６で上面３６と縫着されている。従って、フレキシブルコンテナ本体２が転倒して充填物投入路下部１４の端部が床面と接触することによって発生する応力は、縫着部４６に加わることとなり、上面開口９の縁部に直接連接しておらず、このため応力が上面開口９の縁部に加わらない。従って上面開口９の縁部の断裂を防ぐことができる。
【００２２】
さらに、上面開口９の縁部には、図３の通り一周に渡って、投入口補強テープ４２が縫着される。このため、万が一縫着部４６が断裂した場合も、上面開口９の縁部まで裂部が進み裂けることが無い。逆に上面開口９の縁部が裂けることもないため、上面開口９の縁部が裂けて縫着部４６が裂けることも起こり得ない。
【００２３】
図４に、上面開口９内で充填物投入路上部５を折りたたんだ上面拡大図を示す。充填物投入路上部５をすべて折りたたむことで、上面開口９に収納可能となる。
【００２４】
図５に本発明に係るフレキシブルコンテナの図２の上面ＡＡ断面図を示す。上面３６は図３でも示した通り、充填物投入路下部１４の端部と縫着部４６で縫着されるが、上面３６の端部ではなく、上面３６の端部より所定の距離を離した点で縫着される。これによって、縫着部４６と上面３６の端部との干渉を減らすことができる。
【００２５】
一方、上面３６の端部には投入口補強テープ４２が縫着される。この投入口補強テープ４２によって、上面３６の端部の断裂に対する強度が著しく向上する。このため、上面３６の端部と充填物投入路下部１４とに加わる応力に対する強度が強化される。
【００２６】
なお、縫着部４６の位置を上面３６の端部からずらすことで、上面３６の端部と充填物投入路下部１４の端部を直接縫着するより強度が向上し、さらに、上面３６の端部に投入口補強テープ４２を縫着することでさらに強度が向上する。
【００２７】
なお、本発明では、投入口補強テープ４２を用いたが、強度を向上させるためには、上面３６の端部の厚みを増すのが好ましく、さらに、別素材を用いても強化可能である。
【実施例２】
【００２８】
図６にフレキシブルコンテナ本体２の上面３６が描かれている上面図を示す。上面３６にはその中心に円形の上面開口９が開口されている。その開口縁部に厚みが他のＰＰより厚く形成される膜厚部５０が１周に渡って円形に縫着されている。その上に上面開口９を遮蔽するように６角形状の上蓋８が設けられ、上蓋８と上面３６状に互いに相対するように配置された複数の面ファスナ４４で固定される。膜厚部５０によって開口縁部の強度を向上させることができる。
【実施例３】
【００２９】
図７にフレキシブルコンテナ本体２の上面３６が描かれている上面図を示す。上面３６にはその中心に円形の上面開口９が開口されている。その開口縁部に合成ベルト５２が１周に渡って円形に縫着されている。その上に上面開口９を遮蔽するように６角形状の上蓋８が設けられ、上蓋８と上面３６状に互いに相対するように配置された複数の面ファスナ４４で固定される。さらに、その上から固定紐３８と４０で上蓋８を固定する。膜厚部５０によって開口縁部の強度を向上させることができる。
【００３０】
合成ベルトの素材は、ポリエステル、ナイロン、帆布、革ベルト、ターポリン、合成皮革ベルト等を採用することができる。また、筒状部の形状は、角型円柱形状、立方体形状、直方体形状、楕円柱形状、六角柱形状、多角形状のいずれであってもよく、上蓋についても、円形、四角形、多角形、長方形、楕円形いずれであってもよい。
【符号の説明】
【００３１】
２  フレキシブルコンテナ本体
４  充填物投入口
５  充填物投入路下部
６  充填物排出口
７  排出開口部材
８  上蓋
９  上面開口
１０  閉塞布
１１  面ファスナ
１４  充填物投入路下部
１６  注入フック
１８  投入口縛り紐
２０  懸垂紐
２２  吊金具
２４  吊ベルト
２６  ベルト煽り止め
２８  ポケット
３０  吊部
３２  排出口縛り紐
３４  ロープ
３６  上面
３８、４０  固定紐
４２  投入口補強テープ
４６  縫着部
６０  フレキシブルコンテナ
６２  外袋
６４  外袋投入筒
６６  ロープ
６８  羽根蓋
７０  結束用ロープ
８０  内袋
８８  接合部
【図１】
0005369131.tif 000002
【図２】
0005369131.tif 000003
【図３】
0005369131.tif 000004
【図４】
0005369131.tif 000005
【図５】
0005369131.tif 000006
【図６】
0005369131.tif 000007
【図７】
0005369131.tif 000008
【図８】
0005369131.tif 000009
【図９】
0005369131.tif 000010